(57)【特許請求の範囲】
【請求項１】
建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えており、
前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされており、
前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされており、
前記支柱部材の上端側は、前方に向けて突出する前方突出片が設けられ、該前方突出片の前端側に前記上の保持部が設けられており、左右に位置する前記上の保持部に保持されてなる上のシート支持杆と前記外壁面との間に、該外壁面の上下方向に延長する如く配設されているエアコン用の配管カバー部を収容するためにカバー部収容空所が形成される如くなされていることを特徴とするエアコン室外機の日除け屋根装置。
【請求項２】
建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えており、
前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされており、
前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされており、
前記固定手段は、前記水平台座部材に取着される上固定片と前記上面に接着される下固定片とを具えており、該上固定片の下面部には第１の係合部が設けられる一方、該下固定片の上面部には、該第１の係合部と着脱可能に係合し得る第２の係合部が設けられていることを特徴とするエアコン室外機の日除け屋根装置。
【請求項３】
建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えており、
前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされており、
前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされており、
前記固定手段は、前記水平台座部材に取着される上固定片と前記上面に接着される下固定片とを具えており、該上固定片の下面部には鉤状係合片からなる第１の係合部が設けられる一方、該下固定片の上面部には、該第１の係合部と着脱可能に係合し得る柔軟なループ状係合片からなる第２の係合部が設けられていることを特徴とするエアコン室外機の日除け屋根装置。
【請求項４】
前記シート状の屋根部材は編物製であり、その編目が前記通風孔として機能することを特徴とする請求項１〜３の何れかに記載のエアコン室外機の日除け屋根装置。
【発明の詳細な説明】
【技術分野】
【０００１】
本発明は、エアコン室外機の上方部を覆う日除け屋根を構成するためのエアコン室外機の日除け屋根装置に関するものである。
【背景技術】
【０００２】
エアコン室外機の上方部を覆う日除け屋根装置の一例として特許文献１記載のものが提案されている。該日除け屋根装置Ａは図１７〜２０に示すように、建物の外壁面ａに所要間隔を置いて固定される左右一対の縦フレームｂ，ｂと、エアコン室外機ｃの上方部を覆う屋根部材ｄと、該屋根部材ｄを該縦フレームｂ，ｂに固定するために該屋根部材ｄの両側部ｅ，ｅに取り付けられる左右一対のブラケットｆ，ｆとを具えている。そして該縦フレームｂは、図１９に示すように、前記外壁面ａに基部が埋め込まれて突出するアンカーボルトｇを挿通させるためのボルト孔ｈが設けられており、該基部を埋め込んだ後に、該アンカーボルトｇを前記ボルト孔ｈに挿通させ、該ボルト孔ｈから突出したネジ軸部にナットｋ（図１９）を螺合し締め付けて該左右一対の縦フレームｂ，ｂを外壁面ａに固定していた。又、前記屋根部材ｄは、アルミニウム又はアルミニウム合金、鉄からなる金属板を用いて形成されていた。そして、該屋根部材ｄの両側部ｅ，ｅに対する前記ブラケットｆ，ｆの取り付けは、図２０に示すように、該両側部ｅ，ｅを該ブラケットｆの斜面部ｍに、ボルトｎとナットｐを用いて仮固定し、その後、所要に位置決めして完全固定することとしていた。
【０００３】
このように従来の日除け屋根装置Ａは、その屋根部材ｄとして金属板を用いていたため、重量のある該屋根部材ｄが風で吹き飛ばされないように、前記ブラケットｆと前記縦フレームｂとを用いて該屋根部材ｄを建物の外壁面ａに頑丈に固定しなければならず、その組立てに手間を要して施工が容易でない問題があった。
【０００４】
又前記したように、外壁面ａにアンカーボルトｇを埋め込み、該アンカーボルトｇを該縦フレームｂのボルト孔ｈに挿通させて後、ナットｋを締め付けて該縦フレームｂを該外壁面ａに固定していたため、建物の壁部を損傷する問題があった。加えて、前記屋根部材ｄが金属板を以て構成されていたため、該屋根部材ｄによって前記エアコン室外機ｃの上方部に日陰を形成することはできても、該エアコン室外機ｃで発生した熱がその上面ｑと該屋根部材ｄとの間の空間ｒにこもりやすく、この熱を放熱させにくい問題があった。特に特許文献１の日除け屋根装置にあっては、図１７に示すように、エアコン室外機ｃの上面ｑと屋根部材ｄとの間に形成された空間ｒの左右端部が前記左右のブラケットｆ，ｆでカバーされた状態となるため、前記熱を一層放熱させにくい問題があった。
【先行技術文献】
【特許文献】
【０００５】
【特許文献１】特開２００７−７８２３２号公報
【発明の概要】
【発明が解決しようとする課題】
【０００６】
本発明は前記従来の問題点に鑑みて開発されたものであり、良好な通風性を発揮しつつエアコン室外機を効果的に日除けし得る日除け屋根を、建物の外壁面を損傷することなく簡易に構成できるエアコン室外機の日除け屋根装置の提供を課題とするものである。
【課題を解決するための手段】
【０００７】
前記課題を解決するため、本発明は以下の手段を採用する。
即ち、本発明に係るエアコン室外機の日除け屋根装置は、建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えている。前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされている。そして、前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされている。そして前記支柱部材の上端側は、前方に向けて突出する前方突出片が設けられたものとし、該前方突出片の前端側に前記上の保持部を設け、左右に位置する前記上の保持部に保持されてなる上のシート支持杆と前記外壁面との間に、該外壁面の上下方向に延長する如く配設されているエアコン用の配管カバー部を収容するためのカバー部収容空所が形成される如くなされていることを特徴とするものである。
【０００８】
本発明に係るエアコン室外機の日除け屋根装置の他の態様は、建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えている。前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされている。そして、前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされている。又前記固定手段は、前記水平台座部材に取着される上固定片と前記上面に接着される下固定片とを具えており、該上固定片の下面部には第１の係合部が設けられる一方、該下固定片の上面部には、該第１の係合部と着脱可能に係合し得る第２の係合部が設けられていることを特徴とするものである。
【０００９】
本発明に係るエアコン室外機の日除け屋根装置のその他の態様は、建物の外壁面から前方に間隔を置いて設置されたエアコン室外機の上面の少なくとも左右両側で設置される保持枠体と、該エアコン室外機の上方部を、前方に向けて下方に傾斜する傾斜状態で覆うことができ、且つ、通風孔が分散状態に設けられてなるシート状の屋根部材と、該シート状の屋根部材の上下の端部分に水平状態で取り付けられ且つ前記保持枠体に保持される上下のシート支持杆とを具えている。前記保持枠体は、前記上面に載置されて前後方向に延長し且つその前後の部分が該上面の前後端から突出する水平台座部材と、該水平台座部材の後端側で立設され且つ前記外壁面に当接し得る支柱部材とを具え、該水平台座部材の前端側には下の保持部が設けられる一方、該支柱部材の上端側には上の保持部が設けられてなり、又、該水平台座部材は固定手段を介して前記上面に固定される如くなされている。そして、前記下のシート支持杆は前記下の保持部に保持される一方、前記上のシート支持杆は前記上の保持部に保持される如くなされ、該上下のシート支持杆がこのようにして前記保持枠体に保持されることにより、前記シート状の屋根部材が、その後端からその前端に向かって下方に傾斜する傾斜状態となり得る如くなされている。又前記固定手段は、前記水平台座部材に取着される上固定片と前記上面に接着される下固定片とを具えており、該上固定片の下面部には鉤状係合片からなる第１の係合部が設けられる一方、該下固定片の上面部には、該第１の係合部と着脱可能に係合し得る柔軟なループ状係合片からなる第２の係合部が設けられていることを特徴とするものである。
【００１０】
前記の各エアコン室外機の日除け屋根装置において、前記シート状の屋根部材を編物製とし、その編目を前記通風孔として機能させるのがよい。
【発明の効果】
【００１１】
本発明に係るエアコン室外機の日除け屋根装置によるときは、良好な通風性を発揮しつつエアコン室外機を効果的に日除けし得る日除け屋根を、建物の外壁面を損傷することなく簡易に構成できる。以下、これらの点を含めて本発明の効果をより具体的に説明する。  
【００１２】
(1) 本発明は、エアコン室外機の上面に設置した保持枠体の後部に設けられている支柱部材を建物の外壁面に当接させることに伴う背もたれ状態で、該保持枠体を該上面に固定手段を介して固定する構成を採用する。かかることから本発明によるときは、設置状態の安定性に優れる日除け屋根を、建物の外壁面を損傷することなく簡易に構成できる。
【００１３】
(2) そして、このように構成された日除け屋根は、後端から前端に向かって下方に傾斜しており、且つ、前記上面の前端から前方に庇状に突出するため、エアコン室外機を、その前側の部分も含めて効果的に日除けできる。又、前記シート状の屋根部材は通風孔を有するため、屋内の冷房を行っている間に室外機で発生した熱気を、該通風孔を通して上方に向けて効果的に排出できる。
【００１４】
かかることから本発明によるときは、室外機で冷却された熱媒体が加熱されるのを極力防止できて冷房効果を上げることができ、節電を図り得る経済性がある。又、室外機の負担が少なくなるためその寿命延長にも繋がる。
【００１５】
(3) 前記シート状の屋根部材は、通風孔が分散状態に設けられているため、風が吹いたときには該通風孔を通して風を逃がすことができる。従って、強風時における日除け屋根のばたつきを抑制できることとなる。
【００１６】
(4) 前記シート状の屋根部材は、通風孔が分散状態に設けられているため、該通風孔における放熱が常時行われることになる。従って、アルミニウムやアルミニウム合金、鉄からなる金属板を用いて日除け屋根を構成していた従来の日除け屋根装置における場合とは異なり、日除け屋根が日射によって熱を帯びにくい。
【００１７】
(5) 前記日除け屋根の上端側において、前記外壁面との間にカバー部収容空所が形成される如く構成する場合は、外壁面の上下方向に延長する如く配設されているエアコン用の配管カバー部が前記エアコン室外機の後側で設けられている場合であっても、該配管カバー部を該カバー部収容空所に収容できる。かかることから、既設の配管カバー部が障害となることなく、既設のエアコン室外機に対して簡易に日除け屋根を構成できることとなる。  
【００１８】
(6) 前記固定手段を、前記水平台座部材に取着される上固定片と前記室外機の上面に接着される下固定片とを具える如くなし、該上固定片の下面部には第１の係合部を設ける一方、該下固定片の上面部には、該第１の係合部と着脱可能に係合し得る第２の係合部を設ける場合は、冬期等の不要時期において前記日除け屋根を室外機から取り外す際、該第１の係合部と該第２の係合部との係合を分離することによって容易に取り外すことができる。  
【００１９】
この場合、該上固定片の下面部には鉤状係合片からなる第１の係合部を設ける一方、該下固定片の上面部には、該第１の係合部と着脱可能に係合し得る柔軟なループ状係合片からなる第２の係合部を設ける場合は、該日除け屋根を取り外した後において前記エアコン室外機の上面に残るものは、柔軟なループ状係合片の集合のみであるため、該第２の係合部が損傷されにくい。
【００２０】
(7) 前記室外機の上面で日除け屋根を構成する際、前記保持枠体の前記支柱部材を外壁面に当接させれば、該上面における水平台座部材の前後方向の設置状態が自ずから定まる。従って、前記固定手段を前記上固定片と前記下固定片とによって構成する場合、該上面に対する該下固定片の固定位置を、日除け屋根の安定性を考慮して容易に設定できる。
【００２１】
(8) 前記シート状の屋根部材を編物製とする場合は該シート状の屋根部材は可撓性を有するために、日除け屋根装置が不要時期においては、取り外したシート状の屋根部材をロール状に巻いてコンパクトに収納できる。
【００２２】
(9) 前記シート状の屋根部材を編物製とする場合は、屋根部材を軽量に構成でき、従って、特許文献１記載の日除け屋根装置におけるように、屋根部材を、その左右両側に取り付けられるブラケットと縦フレームとを用いて建物の外壁面に頑丈に固定しなければならないといった面倒な施工を要さず、室外機の上面における日除け屋根装置の設置を簡易に行うことができる。
【図面の簡単な説明】
【００２３】
【図１】本発明に係る日除け屋根装置をその使用状態で示す斜視図である。
【図２】その側面図である。
【図３】その部分斜視図である。
【図４】編物製のシート状の屋根部材を用いてなる日除け屋根を示す部分斜視図である。
【図５】シート状の屋根部材の編物組織図である。
【図６】それを用いて構成されたシート状の屋根部材を示す部分平面図と部分断面図である。
【図７】編物製のシート状の屋根部材の上下の端部分に上下のシート支持杆を取り付けた状態を示す平面図と、これを構成する上下のシート支持杆の端部分の構成を示す断面図である。
【図８】シート状の屋根部材の上下の端部分に設けた上の筒状部と下の筒状部に上下のシート支持杆を挿通させる工程を説明する斜視図である。
【図９】保持枠体の構成を上下の保持部と共に示す分解斜視図である。
【図１０】固定手段を介して水平台座部材を室外機の上面に固定する工程を説明する斜視図である。
【図１１】日除け屋根を構成する保持枠体を室外機の上面に固定した状態を示す斜視図と、カバー部収容空所を説明する平面図である。
【図１２】水平台座部材を構成する水平杆を室外機の上面に固定した状態を示す斜視図と側面図である。
【図１３】２台のエアコン室外機が並設されている場合において構成された日除け屋根を示す斜視図である。
【図１４】本発明に係る日除け屋根装置の他の態様をその使用状態で示す斜視図である。
【図１５】上下の保持部で上下のシート支持杆を保持する他の構成を説明する断面図と斜視図である。
【図１６】上下の保持部を構成する筒体が上下のシート支持杆を保持した状態を示す部分斜視図である。
【図１７】従来の日除け屋根装置を説明する斜視図である。
【図１８】その屋根部材にブラケットが取り付けられた状態を、外壁面にボルト固定される縦フレームと共に示す斜視図である。
【図１９】その縦フレームを外壁面に固定する作業工程を説明する斜視図である。
【図２０】屋根部材の両側部にブラケットを取り付ける作業工程を説明する斜視図である。
【発明を実施するための形態】
【実施例１】
【００２４】
図１〜４において本発明に係るエアコン室外機の日除け屋根装置（以下日除け屋根装置という）１は、建物２の外壁面３から前方に稍間隔を置いて設置された（通常、７〜１０ｃｍ程度の間隔を置いて設置されている）エアコン室外機（以下室外機ともいう）４の上面５に設置されて、その上方部を覆う日除け屋根６を構成するものである。
該日除け屋根装置１は、前記上面５の左右両側で設置され且つ該上面５に固定手段７を介して固定される左右の保持枠体８，８と、該室外機４の上方部を、前方に向けて下方に傾斜する傾斜状態で覆うことができ、且つ、通風孔９（図４）が分散状態に設けられてなるシート状の屋根部材１０と、該シート状の屋根部材１０の上下の端部分１１，１２に水平状態に取り付けられ且つ前記保持枠体８，８に保持される上下のシート支持杆１３，１４とを具えている。
【００２５】
前記シート状の屋根部材１０は、本実施例においては図４、図６〜７に示すように、左右方向に長い矩形状の編物製シート１５を以て構成されており、編糸は、例えば黒糸を用いてなる。該編物製シート１５は、例えば図５の組織図に示すように、図５において上下方向に延長する鎖編列１６の多数が左右方向に小間隔（例えば３ｍｍ程度の間隔）を置いて並設されると共に、隣り合う鎖編列１６，１６が挿入糸１７の挿入によって連結されている。そして、隣り合う鎖編列１６，１６間に存する挿入糸編列１９の、左右方向で見て連続する３列１９，１９，１９の集合列１８については、例えば図６（Ａ）（Ｂ）に示すように、該挿入糸編列１９の上面側２０が、テープ状樹脂シート２１で被覆されて遮光被覆部２２が形成されている。そして図６（Ａ）（Ｂ）に模式的に示すように、該遮光被覆部２２，２２間には１列の挿入糸編列１９が露出状態で存し、該挿入糸編列１９の編目２４が前記通風孔９として機能するようになされている。かかることから該シート状の屋根部材１０は、通風孔９が分散状態に設けられた構成となっている。
【００２６】
本実施例においては、該遮光被覆部２２の上面２３は、光反射性に優れる白色の面として構成されると共に、その下面２５（図６（Ｂ））は、光吸収性に優れる黒色に形成されている。そして、前記通風孔９を構成する前記挿入糸編列１９は、光吸収性に優れる黒色に形成されている。なお本実施例においては、シート状の屋根部材１０の左右両側部分２６，２６を補強するために、図４、図７（Ａ）に示すように、該左右両側部分２６，２６には前記遮光被覆部２２が配置されている。
【００２７】
然して、かかる構成のシート状の屋根部材１０が前記室外機４の上方部を、図１〜２に示すように、前方に向けて下方に傾斜する傾斜状態で覆ったとき、該室外機４の上面５等で発生した熱は、図２に矢印で示すように、前記通風孔９（図４）を通して上方に向けて効率的に排出される。そして前記遮光被覆部２２は、前記シート状の屋根部材１０からなる片流れの日除け屋根６に降った雨水を流下させる。
【００２８】
かかる構成を有するシート状の屋根部材１０は、図３〜４、図８に示すように、その上の端部分１１とその下の端部分１２が裏側に筒状に折り曲げられ且つ折り曲げ縁部２８ａが表面側部分２８ｂに左右方向に縫製されることによって、左右両端が開放した上の筒状部２９と下の筒状部３０が形成されている。そして該上下の筒状部２９，３０には、前記上下のシート支持杆１３，１４が挿通状態とされる。
【００２９】
該挿通状態にある上下のシート支持杆１３，１４を前記日除け屋根６の傾斜方向で逆方向に引っ張ったとき、該日除け屋根６の左右方向の長さは例えば１０００ｍｍ程度に設定されると共に該日除け屋根６の傾斜方向の長さは例えば６００ｍｍ程度に設定される。
【００３０】
前記上下のシート支持杆１３，１４は、本実施例においては図７に示すように、パイプ部材３１とその両端に嵌着される蓋部材３２，３２とにより構成されている。該パイプ部材３１は、外径が１３．５ｍｍ程度である樹脂被覆のスチール製丸パイプを１０２５ｍｍ程度の長さに切断したものを用いてなり、前記シート状の屋根部材１０の左右方向の長さよりも若干長く形成されている。又前記蓋部材３２，３２は、前記パイプ部材３１の外径よりも稍大きい直径を有する円板状鍔部３３に、該パイプ部材３１の開放端部分３５，３５に挿入させ得る軸部３６が同心に突設されている。然して、該開放端部分３５，３５に前記蓋部材３２，３２の軸部３６，３６を挿入し且つ前記円板状鍔部３３，３３を開放端３７，３７に当接させれば、前記上下のシート支持杆１３，１４を構成できる。
【００３１】
かかる構成を有する上下のシート支持杆１３，１４を前記上下の筒状部２９，３０に挿通状態とする際は、例えば図８に示すように、前記両端の蓋部材３２，３２が取り外された上下のシート支持杆１３，１４（即ち、前記パイプ部材３１，３１）の夫々を、その一方の端部側３９，３９から前記筒状部２９，３０に挿通した後、図７に示すように、両開放端側の部分３５，３５に前記蓋部材３２，３２を取り付ける。これによって、前記上下の筒状部２９，３０が横移動したとしても、その横移動は前記円板状鍔部３３，３３で規制される。これによって、図１〜２、図７（Ａ）に示すような、該シート状の屋根部材１０の上下の端部分１１，１２に上下のシート支持杆１３，１４が水平状態（前記シート状の屋根部材１０が前記日除け屋根６を形成した状態で見た場合の水平状態）に取り付けられることとなる。
【００３２】
前記上面５の左右両側で設置される前記保持枠体８，８は同一の構成を有しており、該保持枠体８は図３に示すように、前記外壁面３と直交する前後方向に延長し且つ前後の部分４０，４１が該上面５の前後端４２，４３から突出する水平台座部材４５と、該水平台座部材４５の後端側４６で立設され且つ前記外壁面３に当接し得る支柱部材４７とを具える。そして、該水平台座部材４５の前端側４９には下の保持部５０が設けられる一方、該支柱部材４７の上端側５１には上の保持部５２が設けられてなり、該水平台座部材４５は前記固定手段７を介して前記上面５に固定される如くなされている。
【００３３】
前記水平台座部材４５は、図２〜３、図９に示すように、前記上面５を前後方向で横切る水平杆５３を用いて構成されている。該水平杆５３は、前記外壁面３と直交する前後方向に延長し且つその前後側の部分５５，５６が前記上面５の前後端４２，４３から突出する長さに設定されており、外径が１６ｍｍ程度である樹脂被覆のスチール製丸パイプを用いて構成されている。
【００３４】
そして該水平杆５３の前端部分５７が、前記下の保持部５０が設けられてなる前の連結筒部５９の挿入孔６０に密接に挿入された嵌着状態とされている。該下の保持部５０は、前記シート状の屋根部材１０の下の筒状部３０に挿通された前記下のシート支持杆１４を構成する前記パイプ部材３１を該下の筒状部３０と共に保持するものである。
【００３５】
より具体的には図３に示すように、片流れ状態にある前記シート状の屋根部材１０の前記下の筒状部３１の基端側部分６１を通過させるための割溝６２が水平に延長する如く設けられた横断面Ｃ字状の下筒体６３を以て構成されている。そして、該下筒体６３の該割溝６２の後側をなす外面６５の、左右方向で見た中央部位が、前記前の連結筒部５９の前端６６に連結されている。
【００３６】
又、図３に示すように前記水平杆５３の後端部分６７にはＬ字状連結部材６９が取り付けられる。該Ｌ字状連結部材６９は図９に示すように、水平連結筒部７０の後端７１に垂直連結筒部７２を屈曲形成してなるＬ字状を呈している。そして図３に示すように、該水平連結筒部７０の挿入孔７３（図９）に、前記後端部分６７が密接に挿入された嵌着状態とされると共に、前記垂直連結筒部７２の挿入孔７５（図９）に、図３に示すように、前記支柱部材４７を構成する垂直杆７６の下端部分７７が密接に挿入された嵌着状態とされる。該垂直杆７６は、外径が約１６ｍｍの樹脂被覆のスチール製丸パイプを以て構成されており、その全長は２００ｍｍ程度に設定されている。
【００３７】
前記水平台座部材４５は、本実施例においては図３に示すように、前記水平杆５３と前記前の連結筒部５９と前記Ｌ字状連結部材６９を構成する前記水平連結筒部７０とを以て構成されており、その前後の部分７９，８０が前記上面５の前後端４２，４３から突出する如くなされている。該水平台座部材４５の前後方向の長さは６１０ｍｍ程度に設定されており、その前の部分７４は前記前端４２から３４０ｍｍ程度突出すると共に、その後の部分８０は前記後端４３から１００ｍｍ程度突出する如くなされている。
【００３８】
又前記垂直杆７６の上端部分７８が、図３に示すように、上の連結筒部８１の下端開放の挿入孔８２に密接に挿入された嵌着状態となされる。そして該上の連結筒部８１の上端部分には、前記支柱部材４７の上端側５１を構成する、前方に向けて突出する前方突出片８５の後端７１が一体に連結されている。
【００３９】
前記支柱部材４７は、図３に示すように、前記垂直杆７６と前記垂直連結筒部７２と前記上の連結筒部８１と前記前方突出片８５とによって構成されており、該支柱部材４７は、本実施例においては図２に示すように、前記垂直連結筒部７２の後面部８７と前記上の連結筒部８１の後面部８９とが前記外壁面３に当接することによって該外壁面３に当接し得るようになされている。該支柱部材４７の前記外壁面３に沿う上下長さは２４５ｍｍ程度に設定されている。
【００４０】
そして、前記前方突出片８５の前端側に設けられている前記上の保持部５２は図３に示すように、前記シート状の屋根部材１０の上の筒状部２９に挿通された前記上のシート支持杆１３を構成する前記パイプ部材３１を該上の筒状部２９と共に保持するものである。より具体的には図３に示すように、傾斜状態にある前記シート状の屋根部材１０の前記上の筒状部２９の基端側部分９０を通過させるための割溝９１が水平に延長する如く設けられた横断面Ｃ字状の上筒体９２を以て構成されている。そして、該上筒体９２の後面９３の左右方向の中央部位が、前記前方突出片８５の前端９５に連結されている。
【００４１】
前記固定手段７は、本実施例においては図１０に示すように、前記水平台座部材４５に取着される上固定片９６と前記上面５に接着される下固定片９７とを具えている。該上固定片９６は、左右方向に稍長い矩形板状を呈する台座片９９の上面の左右方向中央部位に、前記水平杆５３を密接状態に挿通させ得る固定筒部１００が設けられると共に、該台座片９９の下面には第１の係合部１０１が設けられている。該固定筒部１００は該水平杆５３の長さ方向でスライド可能となされている。又、前記下固定片９７は、前記上面５に接着される基片１０２の上面に、前記第１の係合部１０１と着脱可能に係合し得る第２の係合部１０３が設けられている。かかる第１の係合部１０１と第２の係合部１０３は、互いに着脱可能に係合し得る面状ファスナーの係合の構成を応用して構成されており、該第１の係合部１０１は、多数の鉤状係合片１０１ａを以て構成され、該第２の係合部１０３は、該鉤状係合片１０１ａと着脱可能に係合し得る柔軟なループ状係合片１０３ａの多数を以て構成されている。そして、前記基片１０２の下面には粘着層が設けられると共に該粘着層が剥離紙で覆われている。
【００４２】
次に、前記構成を有する日除け屋根装置１を構成する工程の一例を説明する。先ず図１０に示すように、前記水平杆５３の前後部位に前記上固定片９６，９６を取り付ける。この取り付けは、前記固定筒部１００の挿通孔１０５に該水平杆５３を挿通させて行う。この際、例えば、該水平杆５３の前端部分５７を前記前の連結筒部５９に嵌着状態としておく。その後、該水平杆５３の後端部分６７を、前記Ｌ字状連結部材６９の前記水平連結筒部７０の挿入孔７３（図９）に嵌着状態とする。
【００４３】
そして、図３に示すように、該Ｌ字状連結部材６９の前記垂直連結筒部７２の挿入孔７５（図９）に、前記垂直杆７６の下端部分７７を嵌着状態とする。又、前記上の保持部５２が前方に突出する状態として前記上の連結筒部８１の挿入孔８２に垂直杆７６の上端部分７８を嵌着する。この状態で、前記下の保持部５０に設けられている前記割溝６２と、前記上の保持部５２に設けられている前記割溝９１が、傾斜方向で略対向状態となされる。
【００４４】
そして、前記シート状の屋根部材１０の上下の筒状部２９，３０に、前記上下のシート支持杆１３，１４を挿通状態とする。この挿通要領の一例は、前記パイプ部材３１，３１を該上下の筒状部２９，３０に挿通し、その後、図７（Ｂ）（Ｃ）に示すように、蓋部材３２を各シート支持杆１３，１４の開放端側の部分３５，３５に取り付けて行う。このようにして上下のシート支持杆１３，１４をシート状の屋根部材１０に取り付けて後、図３〜４に示すように、該上下のシート支持杆１３，１４を前記上下の保持部５２，５２、５０，５０に取り付ける。この取り付けに際しては、前記上の保持部５２について言えば、前記割溝９１に前記シート状の屋根部材１０の前記上の筒状部２９の基端側部分９０を、その一端側から順次通過させた状態で、前記上筒体９２の収容凹部１０６に、前記上のシート支持杆１３を、前記上の筒状部２９と共に略密接した挿通状態となす。又、前記下の保持部５０についていえば、前記割溝６２に前記シート状の屋根部材１０の前記下の筒状部３０の基端側部分６１を、その一端側から順次通過させた状態で、前記下筒体６３の収容凹部１０９に、前記下のシート支持杆１４を、前記下の筒状部３０と共に略密接した挿通状態となす。
【００４５】
これらのことは、左右に位置される上下の保持部５２，５２、５０，５０について行われる。そして、上筒体９２は前記上のシート支持杆１３の長さ方向で移動できると共に、該下筒体６３は前記下のシート支持杆１４の長さ方向で移動できる。該上下の保持部５２，５０の外端６４は、例えば図１に示すように、前記シート状の屋根部材１０の左右端６８，６８から１０ｃｍ程度内方に控えて位置するように設定する。
【００４６】
その後、図３に示すように、前記上の連結筒部８１と前記垂直連結筒部７２とを、前記垂直杆７６によって連結する。この連結は、該垂直杆７６の上端部分７８と下端部分７７を、該上の連結筒部８１と該垂直連結筒部７２に、前記のようにして嵌着状態として行われる。
【００４７】
このようにして保持枠体８とシート状の屋根部材１０と上下のシート支持杆１３，１４とを連結して前記日除け屋根装置１（図１）を構成する。該日除け屋根装置１は、これが使用される室外機４の左右幅に合わせて前記上面５に前記固定手段７を介して固定される。そして本実施例においては、図１に示すように、左右に位置する前記上の保持部５２，５２に保持されてなる上のシート支持杆１３と前記外壁面３との間に、該外壁面３の上下方向に延長する如く配設されているエアコン用の配管カバー部１１０を収容するためのカバー部収容空所１１１が設けられるようになされている。該カバー部収容空所１１１の深さＬは、例えば９ｃｍ程度に設定される。
【００４８】
次に、かかる構成を有する日除け屋根装置１を用いて前記室外機４の上方部に日除け屋根６を構成する要領を図１０〜１２に基づいて具体的に説明する。先ず図１１に示すように、左右の保持枠体８，８の前記室外機４の上面５の左右端１１２，１１３の稍内側に位置させて、左右の保持枠体８，８を構成する前記水平台座部材４５の前記水平杆５３，５３を前記固定手段７を介して載せ、且つ、前記支柱部材４７を前記外壁面３に当接させた仮設置の状態とする。この際、前記下固定片９７を前記上固定片９６から分離しておくか、或いは、これを分離しない場合は、前記剥離紙が付設された状態としておく。左右の保持枠体８，８の前記上面５での左右方向の位置設定は、図１１（Ｂ）に示すように、前記配管カバー部１１０を前記カバー部収容空所１１１に収容することができるように行う。  
【００４９】
そして、前記上筒体９２を前記上のシート支持杆１３の長さ方向で適宜移動させると共に前記下筒体６３を前記下のシート支持杆１４の長さ方向で適宜移動させて該上筒体９２と該下筒体６３の取り付け位置の微調整を行う。又、この仮設置の状態で、前記前後の固定手段７，７を、前記上面５の前後端４２，４３の稍内側に位置するように位置決めするのであるが、前記支柱部材４７を前記外壁面３に当接させれば、該上面５に対する前記水平台座部材４５の前後方向での固定位置を設定し易く、従って、前記下固定片９７，９７を固定すべき位置を設定し易い。
【００５０】
この位置設定の際、前記固定筒部１００を、前記水平杆５３の長さ方向で適宜移動させて取り付け位置の微調整を行う。このように位置設定した後、該上面５に、該下固定片９７，９７を固定すべき位置に目印（図示せず）を付する。その後、該日除け屋根装置１を一旦取り外した後、図１０に示すように、該目印に合わせて前記下固定片９７を該上面５に、前記剥離紙を剥がして前記粘着層で接着する。
【００５１】
然る後、図１２に示すように、前記上固定片９６の前記台座片９９の下面に設けられている前記第１の係合部１０１を、前記下固定片９７の前記基片１０２の上面に設けられている前記第２の係合部１０３に係合させる。これによって日除け屋根装置１は、前記上面５に固定状態となり、前記水平台座部材４５が、図１〜２に示すように、前記上面５の前端４２から前方に突出し且つ後端４３から後方に突出した状態となる。
【００５２】
従って、前記シート状の屋根部材１０は、図１〜２に示すように、その上の端部分１１からその下の端部分１２に向かって下方に傾斜し、これによって片流れの日除け屋根６を形成できる。このように構成された日除け屋根６によるときは、前記左右の保持枠体８，８の前記支柱部材４７，４７が前記外壁面３に当接されることによって安定的な背もたれ状態が得られると共に、前記水平台座部材４５を前記固定手段７を介して前記上面５に固定することによって該背もたれ状態が保持されることとなる。かかることから、前記日除け屋根装置１を室外機４の上面５に安定的に設置でき、前記シート状の屋根部材１０によって安定的な日除け屋根６を形成でき、図１〜２に示すように、その前側部分１１６が前記室外機４の前端４２から前方に庇状に突出することになる。このように設置された日除け屋根装置１は、前記支柱部材４７が前記外壁面３に単純に当接されているだけであるため、該外壁面３を損傷する恐れがない。
【００５３】
かかる構成を有する片流れの日除け屋根６は、図２に示すように、その下端部１１７が前記上面５と略同高さにあり、然も、該日除け屋根６の前側部分１１６が前記上面５の前端４２から前方に突出するため、前記室外機４の上部分を、その前側の部分も含めて効果的に日除けできる。又、前記シート状の屋根部材１０は前記のように通風孔９を有するため、屋内の冷房を行っている間に室外機４で発生した熱気を、該通風孔９を通して上方に向けて排出できる。これらによって、室外機４で冷却された熱媒体が加熱されるのを極力防止できて冷房効果を上げることができ、節電を図り得る経済性もある。
【００５４】
又、前記シート状の屋根部材１０には通風孔９が設けられているため、風が吹いたときに、該通風孔９を通して風を逃がすことができ、強風時における日除け屋根６のばたつきを抑制できることとなる。
【００５５】
本実施例においては前記のように、上のシート支持杆１３を外壁面３に当接させることとはせず、該上のシート支持杆１３と該外壁面３との間にカバー部収容空所１１１を設ける構成を採用している。従って、室外機４の後面側において配管カバー部１１０が上下方向で設けられている場合であっても該配管カバー部１１０を該カバー部収容空所１１１に収容できる。このようなことから、既設の配管カバー部１１０が障害となることなく、室外機４に対して簡易に日除け屋根６を構成できることとなる。なお該カバー部収容空所１１１は、図１に示すように、前記左右の支柱部材４７，４７間に形成される他、該左右の支柱部材４４，４７の外側でも形成される。
【００５６】
かかる構成を有する日除け屋根装置１は、冬期等の不要時期においては、前記固定手段７の固定状態を解除して前記上面５から取り外すことができる。本実施例においては、面状ファスナーの係合の構成を応用して前記固定手段７を構成しているため、前記固定状態を、係合状態にある前記第１の係合部１０１と前記第２の係合部１０３との係合を分離して容易に解除できる。このようにして日除け屋根装置１を取り外して後、前記上下のシート支持杆１３，１４を前記上下の保持部５２，５０から取り外すと共に前記保持枠体８，８を適宜分解する。取り外されたシート状の屋根部材１０は、本実施例においては編物製であって可撓性を有するため、その上下の筒状部２９，３０に前記シート支持杆１３，１４が取り付けられた状態のままでロール状に巻いてコンパクトに収納できる。
【００５７】
前記日除け屋根装置１が取り外された状態で前記上面５に残るのは、本実施例においては柔軟な前記ループ状係合片１０３ａの集合であるため、比較的硬い前記鉤状係合片１０１ａの集合からなるものが残るのとは異なり、該第２の係合部１０３が損傷されにくい。そして翌年においては、前記第１の係合部１０１と前記第２の係合部１０３との係合による前記固定手段７の固定作用により、前記と同様にして、安定した日除け屋根６を構成できることとなる。
【実施例２】
【００５８】
本発明は、前記実施例で示したものに限定されるものでは決してなく、「特許請求の範囲」の記載内で種々の設計変更が可能であることはいうまでもない。その一例を挙げれば次のようである。
【００５９】
(1) 前記保持枠体８は、前記室外機４の上面５の少なくとも左右両側で設置されればよいのであり、該上面５の左右両側と、その中間において１本乃至複数本が立設状態とされることもある。例えば業務用のエアコンの室外機の場合は、該上面５の左右幅が大きい場合や、その複数台を直列に並べて設置される場合があるため、該室外機の上方部で日除け屋根６を形成する場合は、Ｌ字状保持枠体８の使用本数を多くすることによって左右方向に比較的長い日除けを一連状態に構成できることとなる。図１３はその一例を示すものであり、２台の室外機４，４を直列に並べることによって形成された連続状態の上面５の左右両側とその中間において保持枠体８を設置することによって、左右方向に長い日除け屋根６が構成されている。なお、２台の室外機４，４間が多少離れていても同様にして日除け屋根６を構成できる。本発明においてエアコン室外機の上面５とは、かかる連続状態の上面や、多少途切れて連続する上面も含む概念である。
【００６０】
(2) 前記保持枠体８を構成する前記水平杆５３や垂直杆７６、前方突出片８５、前記上下のシート支持杆１３，１４を構成するために用いる部材は、所要強度を有するものであれば中実部材でもよく、その横断面形状は、角形や十字状等を呈するものであってもよい。又その素材は、発泡性を有する樹脂素材やアルミニウム等の軽量金属素材等であってもよ。
【００６１】
(3) 前記保持枠体８は、前記したように複数の部材を連結して構成されることの他、全体を一体に構成されることもある。又、前記水平台座部材４５と前記垂直杆７６とを一体に構成する等、部分的に一体に構成する場合もある。
【００６２】
(4) 前記シート状の屋根部材１０は、前記した編物の他、織物や樹脂シート、樹脂板、不織布等のシート状を呈する素材を以て構成することができる。そして該シート状の屋根部材１０は、これらの素材を用いて例えば一枚のシート状に構成することの他、細幅の帯状片を前後方向や左右方向、斜め方向等に所要間隙を置いて並べると共に隣り合う帯状片相互を適宜連結し、且つ、該隣り合う帯状片間の間隙を通風孔９として構成することもできる。そして該通風孔９は、前記片流れの日除け屋根６を構成したときに、前記のように熱を上方に向けて排出できるものであれば、前記編目や前記間隙の他、穿孔した開口等、各種形態のものとして構成できる。
【００６３】
(5) 前記シート状の屋根部材１０の上下に前記上下のシート支持杆１３，１４を取り付ける手段は、前記のように構成した上下の筒状部２９，３０に前記上下のシート支持杆１３，１４を挿通状態にして行うことの他、前記シート状の屋根部材１０の上下の端部分１１，１２を前記上下のシート支持杆１３，１４に巻き付け、巻き付け端部を、例えば面状ファスナーや紐状物等を用いて止着する手段によってもよい。
【００６４】
(6) 前記配管カバー部１１０が前記室外機４の後側に設けられない場合は、前記カバー部収容空所１１１が設けられないこともある。図１４は、この場合の一例を示すものであり、前記上のシート支持杆１３が前記外壁面３に当接乃至近接状態となるように構成されている。
【００６５】
(7) 前記支柱部材４７の後面部が、その上下方向全長に亘って前記外壁面３に当接することもある。
【００６６】
(8) 前記水平台座部材４５の前端側に設けられている前記下の保持部５０及び前記支柱部材４７の上端側に設けられている前記上の保持部５２は、例えば図１５に示すように、前記上下のシート支持杆１３，１４を弾性的に挾持し得るＣ字状筒体１２０を以て構成することもできる。
図１５においては、前記上下の保持部５２，５０（上下のＣ字状筒体１２０，１２０）に、前記上下のシート支持杆１３，１４が、前記シート状の屋根部材１０の上下の端部分１１，１２と共に保持される場合が示されているが、図１６に示すように、上下の保持部５２，５０に上下のシート支持杆１３，１４のみが保持されることもある。このことは、前記実施例１においても同様である。そして本発明においては、前記上下のシート支持杆１３，１４が、前記シート状の屋根部材１０の上下の端部分１１，１２と共に保持される場合であっても、上下のシート支持杆１３，１４が上下の保持部５２，５０に保持されることに該当する。
【００６７】
(9) 前記水平台座部材４５を前記室外機４の上面５に固定する固定手段７は、紐部材や固定金具、両面粘着テープ、磁石、吸盤等を用いて構成することもできる。図１〜３、図１４においては、前記第１の係合部１０１と前記第２の係合部１０３との係合による固定手段に加えて、固定紐１２１を用いた固定手段７が付加されている。該固定紐１２１は、前記水平台座部材４５と前記室外機４の側面部１２２に設けられている被結着部１２３とを連結している。これによって、強風時における設置状態の安定性を向上させ得る。
【００６８】
(10)前記実施例において、図３、図９に基づいて説明した、前記嵌着状態を得るための部材相互の嵌め合わせの構成は、前記とは逆の構成にしてもよい。
【００６９】
(11)前記水平台座部材４５の前端側４９と前記支柱部材４７の上端側４７とは、必要に応じて、直線状等の連結杆で連結してもよい。
【符号の説明】
【００７０】
１  日除け屋根装置
２  建物
３  外壁面
４  エアコン室外機
５  上面
６  日除け屋根
７  固定手段
８  保持枠体
９  通風孔
１０  シート状の屋根部材
１１  上の端部分
１２  下の端部分
１３  上のシート支持杆
１４  下のシート支持杆
３１  パイプ部材
３２  蓋部材
５０  下の保持部
５２  上の保持部
９６  上固定片
９７  下固定片
１０１  第１の係合部
１０３  第２の係合部
１１０  配管カバー部
１１１  カバー部収容空所
【図１】
0005592510.tif 000002
【図２】
0005592510.tif 000003
【図３】
0005592510.tif 000004
【図４】
0005592510.tif 000005
【図５】
0005592510.tif 000006
【図６】
0005592510.tif 000007
【図７】
0005592510.tif 000008
【図８】
0005592510.tif 000009
【図９】
0005592510.tif 000010
【図１０】
0005592510.tif 000011
【図１１】
0005592510.tif 000012
【図１２】
0005592510.tif 000013
【図１３】
0005592510.tif 000014
【図１４】
0005592510.tif 000015
【図１５】
0005592510.tif 000016
【図１６】
0005592510.tif 000017
【図１７】
0005592510.tif 000018
【図１８】
0005592510.tif 000019
【図１９】
0005592510.tif 000020
【図２０】
0005592510.tif 000021